(57)【要約】      （修正有）【課題】媒体供給システムにおいて画像にダメージを与えないアプローチを提供する。【解決手段】媒体供給システム１００においてカット媒体１０７を送るアプローチが提供される。同アプローチは、少なくとも部分的に、入力媒体経路１０１を通して媒体を供給させるステップを含む。同アプローチは、入力媒体経路と少なくとも第１出力媒体経路１２１との間に位置決めされた湾曲バッフル１１５，１１７に沿って空気を入力するように構成された空気入力を通して、空気を少なくとも部分的に供給させるステップも含む。同アプローチは、少なくとも部分的に、空気入力を通して供給される空気と湾曲バッフルの間の相互作用に少なくとも部分的に基づいて、第１出力媒体経路および第２出力媒体経路１２３のうちの１つを媒体に選択させるステップをさらに含む。【選択図】図１
2014005151.tif 000002
【特許請求の範囲】
【請求項１】
媒体供給システムにおいてカット媒体を送る方法であって、
少なくとも部分的に、入力媒体経路を通して媒体を供給させるステップと、
少なくとも部分的に、前記入力媒体経路と少なくとも第１出力媒体経路との間に位置決めされた湾曲バッフルに沿って空気を入力するように構成された空気入力を通して、空気を供給させるステップと、
少なくとも部分的に、前記空気入力を通して供給される空気と前記湾曲バッフルの間の相互作用に少なくとも部分的に基づいて、前記第１出力媒体経路および第２出力媒体経路のうちの１つを前記媒体に選択させるステップとを含む、方法。
【請求項２】
前記湾曲バッフルは、重力方向に関して前記入力媒体経路の上方に位置決めされ、前記方法は、
少なくとも部分的に、前記空気入力に空気を流れ込ませるように構成された空気入力デバイスがオン状態にあるとき、前記湾曲バッフルに向かう方へ前記媒体を引き出させて、前記入力媒体経路から前記第１出力媒体経路へ前記媒体を供給させるステップをさらに含み、
前記空気入力デバイスがオフ状態にあるとき、前記湾曲バッフルから離れる方へ前記媒体を下降させて、前記入力媒体経路から前記第２出力媒体経路へ前記媒体を供給させる、請求項１に記載の方法。
【請求項３】
前記湾曲バッフルは、重力方向に関して前記入力媒体経路の下方に位置決めされ、前記方法は、
少なくとも部分的に、前記空気入力に空気を流れ込ませるように構成された空気入力デバイスがオン状態にあるとき、前記湾曲バッフルに向かう方へ前記媒体を引き出させて、前記入力媒体経路から前記第２出力媒体経路へ前記媒体を供給させるステップをさらに含み、
前記空気入力デバイスがオフ状態にあるとき、前記入力媒体経路から前記第１出力媒体経路へ前記媒体を供給させる、請求項１に記載の方法。
【請求項４】
少なくとも部分的に、前記空気入力に空気を流れ込ませるように構成された第１空気入力デバイスがオン状態にあるとき、前記湾曲バッフルに向かう方へ前記媒体を引き出させて、前記入力媒体経路から前記第１出力媒体経路へ前記媒体を供給させるステップと、
少なくとも部分的に、もう１つの湾曲バッフルに沿って空気を入力するように構成されたもう１つの空気入力に、空気を流れ込ませるように構成された第２空気入力デバイスがオン状態にあるとき、前記もう１つの湾曲バッフルに向かう方へ前記媒体を引き出させて、前記入力媒体経路から前記第２出力媒体経路へ前記媒体を供給させるステップとをさらに含み、
前記もう１つの湾曲バッフルは、前記湾曲バッフルの反対側に位置決めされ、前記もう１つの湾曲バッフルは、前記入力媒体経路と少なくとも前記第１出力媒体経路との間に位置決めされる、請求項１に記載の方法。
【請求項５】
前記湾曲バッフルおよび前記もう１つの湾曲バッフルは、前記湾曲バッフルと前記もう１つの湾曲バッフルの間のスペースに関して、凸状である、請求項４に記載の方法。
【請求項６】
第１入力媒体バッフルおよび第２入力媒体バッフルは、前記第１入力媒体バッフルと前記第２入力媒体バッフルの間のスペース内に、前記入力媒体経路を形成するように位置決めされ、前記湾曲バッフルを含む第１方向転換チャンバ壁は、前記第１入力媒体バッフルと前記第１方向転換チャンバ壁の間に前記空気入力を形成するように位置決めされる、請求項１に記載の方法。
【請求項７】
少なくとも部分的に、前記空気入力を通して空気を入力するとき、前記湾曲バッフルに向かう方へ前記媒体を引き出させて、前記入力媒体経路から前記第１出力媒体経路へ前記媒体を供給させるステップと、
少なくとも部分的に、前記もう１つの湾曲バッフル内へ空気を入力するとき、前記もう１つの湾曲バッフルに向かう方へ前記媒体を引き出させて、前記入力媒体経路から前記第２出力媒体経路へ前記媒体を供給させるステップとをさらに含み、
もう１つの湾曲バッフルを含む第２方向転換チャンバ壁は、前記第２入力媒体バッフルと前記第２方向転換チャンバ壁の間にもう１つの空気入力を形成するように位置決めされる、請求項６に記載の方法。
【請求項８】
前記空気入力を通して供給される空気層は、前記媒体が前記湾曲面に接することを防止する、請求項１に記載の方法。
【請求項９】
少なくとも１つの出口バッフルは、前記第１出力媒体経路および前記第２出力媒体経路のうちの少なくとも一部を形成するように構成される、請求項１に記載の方法。
【請求項１０】
前記少なくとも１つの出口バッフルは、ｖ字形をしている、請求項９に記載の方法。
【発明の詳細な説明】
【技術分野】
【０００１】
本開示は、媒体供給（給紙）システムにおいて空気圧バッフル（バッフル＝調整板）によってカット媒体を選択的に送るための、印刷および／またはコピーに有用な装置、方法、およびコンピュータプログラムに関する。
【背景技術】
【０００２】
プリンタシステムおよび／またはコピー機システムは、しばしば、両面印刷機能および／または両面反転機能を有し、両面シート媒体または両面カット媒体の両面に、１つ以上の画像を印刷しまたはコピーすることを可能にする。両面の使用を可能にするために、種々のバッフルシステム内へカット媒体を送ることがしばしば必要になる。媒体は、従来、機械式方向転換器（方向転換器＝ダイバータ）ゲートによって、選択されたバッフルシステム内へ送られる。例えばカット媒体の先頭エッジを、選択されたバッフルシステムへ方向転換するために、従来の機械式方向転換器ゲートが作動され、到来する媒体の経路内へ裏返される。従来の両面印刷システムは、しばしば２つの経路を有し、１つは両面経路または反転経路へ媒体を戻すための経路であり、１つは別の処理ステップへ媒体を出力するまたは最終仕上げを行うための経路である。選択されたバッフルシステムにおいて、シート媒体は、例えば両面経路もしくは反転経路、または出力経路の中を駆動することができる。
【発明の概要】
【発明が解決しようとする課題】
【０００３】
従来の機械式方向転換器ゲートは、しばしば媒体と接触して、選択されたバッフルシステムへ媒体を方向転換する。さらに加えて、従来の機械式方向転換器ゲートは、媒体と接触することによって、途切れのないプロセス経路を確実にする。従来の方向転換（ダイバージョン）システムにおいて、プリンタ経路の内部におけるバッフルシステムまたは駆動システム内で途切れが起こると、インク画像に圧力がかかり、画像に跡が付くことになる。しかし、この接触が原因で、従来の機械式方向転換器ゲートは、しばしば画像に跡が付く圧力ポイントを生み出し、それによって、機械式方向転換器ゲートを通して媒体を供給しながらこするために、画像にダメージを与えることになる。さらに、従来の機械式方向転換器ゲートは、任意のこすりが原因で、または例えば本システム内に予想外のリップ（縁）をもたらす、機械式方向転換器ゲートの不整列が原因で、媒体の先頭エッジ、または媒体上の任意のコーティングにもダメージを与えることがある。
【０００４】
したがって、媒体供給システムにおいて空気圧バッフルによってカット媒体を選択的に送るアプローチの必要性がある。
【課題を解決するための手段】
【０００５】
一実施の形態に従って、媒体供給システムにおいてカット媒体を送る装置は、入力媒体経路を含む。同装置は、第１出力媒体経路も含む。同装置は、第２出力媒体経路をさらに含む。同装置は、入力媒体経路と少なくとも第１出力媒体経路との間に位置決めされた湾曲バッフルをさらに加えて含む。同装置は、湾曲バッフルに沿って空気を入力するように構成された空気入力も含む。空気入力を通して供給される空気と湾曲バッフルの間の相互作用は、少なくとも部分的に、第１出力媒体経路および第２出力媒体経路のうちの１つを、入力媒体経路を通して供給された媒体に選択させる。
【０００６】
別の一実施の形態に従って、媒体供給システムにおいてカット媒体を送る方法は、少なくとも部分的に、入力媒体経路を通して媒体を供給させるステップを含む。本方法は、少なくとも部分的に、入力媒体経路と少なくとも第１出力媒体経路との間に位置決めされた湾曲バッフルに沿って空気を入力するように構成された空気入力を通して、空気を供給させるステップも含む。本方法は、少なくとも部分的に、空気入力を通して供給される空気と湾曲バッフルの間の相互作用に少なくとも部分的に基づいて、第１出力媒体経路および第２出力媒体経路のうちの１つを媒体に選択させるステップをさらに含む。
【０００７】
本発明の実施の形態は、添付の図面に、例としてかつ限定する目的ではなく図示される。
【図面の簡単な説明】
【０００８】
【図１】図１は、一実施の形態に従って、媒体供給システムにおいて空気圧バッフルによってカット媒体を選択的に送ることができるシステムの図である。
【図２】図２は、一実施の形態に従って、媒体供給システムにおいて空気圧バッフルによってカット媒体を選択的に送ることができるシステムの図である。
【図３】図３は、一実施の形態に従って、媒体供給システムにおいて空気圧バッフルによってカット媒体を選択的に送るプロセスのフローチャートである。
【図４】図４は、一実施の形態を実装するのに用いることができるチップセットの図である。
【発明を実施するための形態】
【０００９】
本明細書で使用される、用語「媒体」は、紙、ポリマー、金属などのうちの１つ以上を含む任意の両面基板を指す。媒体は、カットすることができ、または任意の形状もしくはサイズのシートにすることができる。
【００１０】
図１は、一実施の形態に従って、媒体供給システムにおいて空気圧バッフルによってカット媒体を選択的に送ることができるシステムの図である。
【００１１】
プリンタシステムおよび／またはコピー機システムは、しばしば、両面印刷機能および／または両面反転機能を有し、両面シート媒体または両面カット媒体の両面に、１つ以上の画像を印刷しまたはコピーすることを可能にする。両面の使用を可能にするために、種々のバッフルシステム内へカット媒体を送ることがしばしば必要になる。媒体は、従来、機械式方向転換器ゲートによって、選択されたバッフルシステム内へ送られる。従来の両面印刷システムは、しばしば２つの経路を有し、１つは両面経路または反転経路へ媒体を戻すための経路であり、１つは印刷された媒体を出力するための経路である。選択されたバッフルシステムにおいて、媒体は、例えば両面経路もしくは反転経路、または出力経路の中を駆動することができる。
【００１２】
従来の機械式方向転換器ゲートは、媒体と接触して、選択されたバッフルシステムへ媒体を方向転換する。これにより、特に固体インク印刷の場合には、カット媒体の印刷される面が、跡を付けるリスクにさらされる。例えば固体インクシステムにおいて、インクは、バッフルシステムまたは駆動システムの構成要素と接触するたびに、ダメージを受けやすい。残念ながら、従来の機械式方向転換器ゲートは、媒体と接触することによって、途切れのないプロセス経路を確実にする。例えば、シート媒体の先頭エッジを、選択されたバッフルシステムへ方向転換するために、従来の機械式方向転換器ゲートが作動され、到来する媒体の経路内へ裏返される。
【００１３】
従来の方向転換システムにおいて、プリンタ経路の内部におけるバッフルシステムまたは駆動システム内で途切れが起こると、インク画像に圧力がかかり、画像に跡が付くことになる。したがって、従来の機械式方向転換ゲートは、通例、分割され、その結果同ゲートは上流のバッフルと交錯することになる。これにより、多数の「指状突起部」が生み出され、媒体の先頭エッジおよび本体は、例えば方向転換器ゲート全域を移行中に、これらの「指状突起部」に遭遇することになる。
【００１４】
しかし、この接触が原因で、従来の機械式方向転換器ゲートは、しばしば画像に跡が付く圧力ポイントを生み出し、それによって、機械式方向転換器ゲートを通して媒体を供給しながらこするために、画像にダメージを与えることになる。さらに、従来の機械式方向転換器ゲートは、任意のこすりが原因で、または従来の方向転換システム内に予想外のリップ（縁）をもたらす、機械式方向転換器ゲートの不整列が原因で、媒体の先頭エッジ、または媒体上の任意のコーティングにもダメージを与えることがある。
【００１５】
この問題に対処するために、図１のシステム１００は、媒体供給システムにおいて空気圧バッフルによってカット媒体を選択的に送る能力を導入する。種々の実施の形態に従って、システム１００は、媒体の１つ以上の表面全域に高速空気を押し込み、選択された下流のバッフルおよび媒体経路に媒体を送る。媒体の全域に押し込まれる高速空気は、いくつかの実施の形態において、ベルヌーイ（Ｂｅｒｎｏｕｌｌｉ）効果およびコアンダ（Ｃｏａｎｄａ）効果のために、選択された経路を媒体に追随させる。言い換えれば、媒体表面全体に移動する空気によってもたらされた圧力差を用いて、および湾曲バッフル表面の周りにおけるその空気の移動を用いて、入力媒体は、入力バッフルから選択された下流のバッフルおよび出力媒体経路へ、どんな機械式ゲートとも接触せずに送ることができる。
【００１６】
空気流は、いくつかの機能を実行する。例えば、高速空気は、空気が移動中の媒体面にかかる圧力を低下させることによって、システム１００の片側に媒体を引き付ける（すなわち、ベルヌーイ効果）。さらに加えて、移動中の空気によって生み出された境界の空気層は、システム１００内の任意のバッフルに関して媒体が有する可能性があるどんな接触リスクも低減し、さらに、媒体とシステム１００のバッフルとの間の接触によってもたらされる跡を付ける機会を低減する。さらに、バッフルの湾曲部によって、空気および媒体が、選択されたバッフルおよび下流の出力媒体経路まで、湾曲バッフル表面を追随することが可能になる（すなわち、コアンダ効果）。
【００１７】
したがって、システム１００は、上述したように、両面印刷を含むことができるさまざまな最終仕上げの目的で、入力経路から、選択された出口バッフル経路へ媒体を送るための種々の媒体の非接触方向制御を可能にする。システム１００は、２つの下流の経路のうちの１つに媒体を送る従来の機械式方向転換器ゲートの必要性を排除する。これは、媒体に印刷された画像に跡を付ける機会を低減するだけでなく、故障したり、すり減らしたり、または部品表に種々の部品を追加することによって媒体供給システムのコストを増したりすることもある余分な移動部品を排除することによって、システム１００の簡素化もまた行う。
【００１８】
図１に示されるように例示的な一実施の形態に従って、システム１００は、上側バッフル１０３と下側バッフル１０５の間に形成された入力媒体経路１０１を含む。入力媒体経路は、プロセス方向Ａへ媒体１０７を供給するように構成される。媒体１０７は、紙製品とすることができまたは例えばポリマーもしくは金属を含むことができる、カット媒体またはシートなどの任意の媒体とすることができる。システム１００は、媒体１０７の供給先である方向転換チャンバ（チャンバ＝室）１０９をさらに含む。媒体方向転換チャンバは、上側チャンバ壁１１１および下側チャンバ壁１１３を含む。本実施の形態において、上側チャンバ壁１１１は上側湾曲バッフル１１５を含み、下側チャンバ壁１１３は下側湾曲バッフル１１７を含む。上側湾曲バッフル１１５および下側湾曲バッフル１１７は、本例において方向転換チャンバ１０９の内部に関して、凸状である。代替策としては、上側湾曲バッフル１１５および下側湾曲バッフル１１７は、方向転換チャンバ１０９の内部に関して、凹状とすることができる。
【００１９】
システム１００は、上側出力媒体経路１２１および下側出力媒体経路１２３をさらに加えて含む。上側出力媒体経路１２１は、上側チャンバ壁１１１と上側出口バッフル１２５の間に形成され、下側出力媒体経路１２３は、下側チャンバ壁１１３と下側出口バッフル１２７の間に形成される。１つ以上の実施の形態において、上側出口バッフル１２５および下側出口バッフル１２７は、図１に図示されるように、ｖ字形を形成するように交わることができるが、ｕ字形でもよいし、または完全に分離してもよい。図示されるように、上側湾曲バッフル１１５および下側湾曲バッフル１１７は、入力媒体経路１０１と、上側出力媒体経路１２１および下側出力媒体経路１２３のうちの少なくとも１つとの間に位置決めされる。
【００２０】
システム１００は、上側湾曲バッフル１１５に沿って空気を入力するように構成された上側空気入力１３１内へ、空気１３０を入力するように構成された上側空気入力デバイス１２９も含む。システム１００は、下側湾曲バッフル１１７に沿って空気を入力するように構成された下側空気入力１３５内へ、空気を供給する（図２に図示される）ように構成された下側空気入力デバイス１３３をさらに含む。
【００２１】
本例において、システム１００は、対称である。対称のバッフルおよび空気システムは、上側空気入力デバイス１２９または下側空気入力デバイス１３３のうちの１つを作動することによって、媒体１０７が、上側出力媒体経路１２１または下側出力媒体経路１２３のうちの１つへ送られることを可能にする。媒体１０７の上側または下側の面に高速空気を加えると、選択された湾曲バッフルへおよび選択された上側出力媒体経路１２１または下側出力媒体経路１２３内へ媒体を引き出すことになる。例えば、図１において上側空気入力デバイス１２９はオン状態にあり、それによって上側出力媒体経路１２１内へ媒体１０７を供給させる。
【００２２】
上述したように、境界の空気層、例えば入力媒体経路１０１の２つの面のうちの１つの面上にある、図示されるような空気１３０は、上側空気入力１３１または下側空気入力１３５内へ入力中の高速空気１３０の方向に媒体１０７を送る（すなわちベルヌーイ効果）。入力媒体経路１０１からの媒体の方向転換の方向は、能動型の空気入力デバイスをオフし、かつ他方の空気入力デバイスを作動することによって、スイッチング可能である。本例において、上側空気入力デバイス１２９はオフされ、下側空気入力デバイス１３３はオンされて、下側出力媒体経路１２３へ入力媒体１０７を送ることができる。次いで、下側空気入力デバイス１３３はオフされ、上側空気入力デバイス１２９はオンされて、上側出力媒体経路１２１内へ媒体１０７を供給させることができる。言い換えれば、出力媒体経路は、例えば、下流のプロセスを交互に変える必要性に応じて、選択的に制御することができる。代替策としては、上側空気入力デバイス１２９がオン状態にあるとき、上側出力媒体経路１２１内へ媒体１０７を供給させることができるが、一方では、上側空気入力デバイス１２９がオフ状態にあり、かつ媒体１０７が下側出力媒体経路１２３内へ下降することを例えば媒体厚が妨げない場合、下側出力媒体経路１２３内へ媒体１０７を下降させることができる。
【００２３】
種々の実施の形態に従って、上側空気入力デバイス１２９および下側空気入力デバイス１３３は、上側空気入力１３１および下側空気入力１３５内へ空気を入力することができる任意の種類のコンプレッサ（圧縮機）、ポンプ、チューブ（管）、ホース、などとすることができる。
【００２４】
対称の方向転換システムであるように図示されるが、代替の一実施の形態において、システム１００は、下側湾曲バッフル１１７を欠き、説明された湾曲バッフルのうち、重力方向Ｂに関して入力媒体経路１０１の上方に位置決めされた上側湾曲バッフル１１５だけを含むことができる。したがってシステム１００は、本例において、オン状態にあるとき、上側空気入力１３１に空気を流れ込ませるように構成された上側空気入力デバイスだけを含むことができる。本例において、上側空気入力デバイスがオン状態にあるとき、上側湾曲バッフル１１５に向かう方へ媒体１０７を引き出して、入力媒体経路１０１から上側出力媒体経路１２１へ媒体１０７を供給させる。上側空気入力デバイスがオフされる場合、重力のために上側湾曲バッフル１１５から離れる方へ媒体１０７を下降させ、入力媒体経路１０１から下側出力媒体経路１２３へ媒体１０７を供給する。
【００２５】
代替策としては、システム１００は、上側湾曲バッフル１１５を欠き、その代わりに重力方向Ｂに関して入力媒体経路１０１の下方に位置決めされた下側湾曲バッフル１１７だけを含む。本例において、システム１００は、オン状態にあるとき下側空気入力１３５に空気を流れ込ませるように構成された、説明された空気入力デバイスのうちの下側空気入力デバイス１３３だけを有することができる。本例において、下側空気入力デバイス１３３がオン状態にあるとき、下側湾曲バッフル１１７に向かう方へ媒体１０７を引き出して、入力媒体経路１０１から下側出力媒体経路１２３へ媒体１０７を供給させる。しかし、本例において、下側空気入力デバイス１３３がオフ状態にあるとき、入力媒体経路１０１から上側出力媒体経路１２１へ媒体１０７を供給させる。例えば、媒体１０７の重さが、移動の方向を媒体１０７に維持させかつ下向きの重力が原因で曲がることがない特定の値である場合、媒体１０７は、下側出力媒体経路１２３へ下降するのではなくて、上側出力媒体経路１２１を継続することができる。
【００２６】
例えば、システム１００が、上側湾曲バッフル１１５および下側湾曲バッフル１１７のうちの１つだけを有する場合、システム１００は、例えば、対向する方向転換チャンバ壁１１１もしくは１１３、または反対位置の空気入力１３１もしくは１３５を含む場合と含まない場合がある。むしろ、システム１００は、例えば、出力媒体経路を形成するために必要に応じて、説明された出口バッフルだけを存在している状態にすることができる。
【００２７】
上述したように、配列にかかわらず、上側空気入力１３１および下側空気入力１３５のうちの１つ以上を通して供給される空気層は、媒体１０７が、それぞれの湾曲バッフル１１５、１１７のうちのいずれかに接することを防止しまたは制限して、任意のバッフル、チャンバ壁と接触することによってもたらされる、または従来の方向転換手段と関連付けられる画像欠陥を防止しまたは低減する。言い換えれば、システム１００は、媒体の一面と湾曲バッフルの間に加わる高速空気の薄層を用いて、湾曲バッフルを媒体に追随させる（すなわちコアンダ効果）とともに、湾曲バッフル全域でかつ隣接する出口バッフルおよび出力媒体経路内へ、媒体１０７を「持ち上げる」または引き出す（すなわちベルヌーイ効果）。
【００２８】
図２は、媒体１０７が下側出力媒体経路１２３内へ方向転換中である、上述したシステム１００の図である。本例において、上側空気入力デバイスはオフ状態にあり、下側空気入力デバイス１３３はオン状態にある。空気２０１は、下側空気入力デバイス１３３によって下側空気入力１３５へ供給されて、下側湾曲バッフル１１７に沿って空気を入力する。言い換えれば、システム１００は、媒体の一面と湾曲バッフルの間に加わる高速空気の薄層を用いて、湾曲バッフルを媒体に追随させる（すなわちコアンダ効果）とともに、湾曲バッフル全域でかつ隣接する出口バッフルおよび出力媒体経路内へ、媒体１０７を「持ち上げる」または引き出す（すなわちベルヌーイ効果）。上述したように、入力媒体経路１０１の下側の面上の境界の空気層は、下側空気入力１３５内へ入力中の高速空気の方向に媒体１０７を送る（すなわちベルヌーイ効果）。
【００２９】
図３は、一実施の形態に従って、媒体供給システムにおいて空気圧バッフルによってカット媒体を選択的に送るプロセスのフローチャートである。一実施の形態において、システム１００は、プロセス３００を実行し、かつ例えば、図４に示されるようにプロセッサおよびメモリを含むチップセットに実装された制御モジュールを含むことができる。ステップ３０１において、システム１００は、少なくとも部分的に、入力媒体経路１０１を通して媒体１０７を供給させる。次いで、ステップ３０３において、システム１００は、少なくとも部分的に、入力媒体経路１０１と、上述した上側出力媒体経路１２１または下側出力媒体経路１２３などの少なくとも第１出力媒体経路との間に位置決めされた、上述した上側湾曲バッフル１１５または下側湾曲バッフル１１７などの湾曲バッフルに沿って、空気を入力するように構成された、上述した上側空気入力１３１または下側空気入力１３３などの空気入力を通して、上述した空気１３０または空気２０１などの空気を供給させる。次いで、ステップ３０５において、システム１００は、少なくとも部分的に、空気入力を通して供給される空気と湾曲バッフルの間の相互作用に少なくとも部分的に基づいて、上側出力媒体経路１２１および下側出力媒体経路１２３のうちの１つを、媒体１０７に選択させる。
【００３０】
例えば、上述したように、実施の形態に依存して、（１）ベルヌーイ効果によって上側湾曲バッフル１１５または下側湾曲バッフル１１７のうちの１つに向かう方へ媒体１０７を引き出させて、コアンダ効果によってそれぞれ上側出力媒体経路１２１または下側出力媒体経路１２３内へ媒体１０７を供給させるか、（２）空気入力デバイスがオフ状態にあるとき、上側湾曲バッフル１１５から離れる方へ媒体１０７を下降させて、重力によって下側出力媒体経路内へ媒体１０７を供給させるか、それとも（３）例えば媒体剛性に基づいて入力媒体経路１０１から上側出力媒体経路１２１へ直接に媒体１０７を供給させるかする。
【００３１】
本明細書で説明された、媒体供給システムにおいて空気圧バッフルによってカット媒体を選択的に送るプロセスは、ソフトウェア、ハードウェア、ファームウェアまたはソフトウェアおよび／もしくはファームウェアおよび／もしくはハードウェアの組み合わせによって、有利に実装することができる。例えば、本明細書で説明されたプロセスは、プロセッサ、デジタル信号処理（ＤＳＰ：ｄｉｇｉｔａｌ  ｓｉｇｎａｌ  ｐｒｏｃｅｓｓｉｎｇ）チップ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）などによって、有利に実装することができる。説明された機能を実行するためのこのような典型的なハードウェアが、以下に詳述される。
【００３２】
図４は、一実施の形態を実装することができる、チップセットまたはチップ４００を図示する。チップセット４００は、本明細書で説明したように媒体供給システムにおいて空気圧バッフルによってカット媒体を選択的に送るようにプログラミングされ、例えば、バス４０１、プロセッサ４０３、メモリ４０５、ＤＳＰ４０７およびＡＳＩＣ４０９などの部品を含むことができる。
【００３３】
プロセッサ４０３およびメモリ４０５は、１つ以上の物理的なパッケージ（例えばチップ）内に組み込むことができる。例として、物理的パッケージは、構造組立品（例えばベースボード）上の１つ以上の材料、部品、および／または配線から成る配列を含み、物理的強度、サイズの保全、および／または電気的相互作用の制限などの１つ以上の特徴を提供する。一部の実施の形態において、チップセット４００は、単一のチップ内に実装できるようにもくろまれる。一部の実施の形態において、チップセットまたはチップ４００は、単一の「システムオンチップ」として実装できるようにさらにもくろまれる。一部の実施の形態において、個々のＡＳＩＣは例えば使用せずに、本明細書で開示されるような関連のあるすべての機能が１つのプロセッサまたは複数のプロセッサによって実行することになるようにさらにもくろまれる。チップセットまたはチップ４００、またはこれらの一部分は、媒体供給システムにおいて空気圧バッフルによってカット媒体を選択的に送る１つ以上のステップを実行する手段を構成する。
【００３４】
１つ以上の実施の形態において、チップセットまたはチップ４００は、チップセット４００の部品間で情報を通過させるバス４０１などの通信機構を含む。プロセッサ４０３は、バス４０１への接続性を有し、命令を実行して、例えばメモリ４０５に格納された情報を処理する。プロセッサ４０３は、各コアが独立に実行するように構成された、１つ以上の処理コアを含むことができる。マルチ・コア・プロセッサは、単一の物理的パッケージの内部で多重処理を可能にする。マルチ・コア・プロセッサには、２つの、４つの、８つの、またはより多数の処理コアを含む例がある。代替策としてはまたは加えて、プロセッサ４０３は、バス４０１を経由してタンデムに構成された１つ以上のマイクロプロセッサを含み、命令、パイプライン処理、およびマルチスレッドの独立した実行を可能にすることができる。プロセッサ４０３は、１つ以上のデジタル信号プロセッサ（ＤＳＰ：ｄｉｇｉｔａｌ  ｓｉｇｎａｌ  ｐｒｏｃｅｓｓｏｒ）４０７または１つ以上の特定用途向け集積回路（ＡＳＩＣ）４０９などの、一定の処理機能および処理タスクを実行する１つ以上の専門部品も伴うことができる。ＤＳＰ４０７は、典型的には、プロセッサ４０３とは独立して、実在の信号（例えば、音声）をリアルタイムで処理するように構成される。同様に、ＡＳＩＣ４０９は、より汎用のプロセッサによっては容易に実行されない専門機能を実行するように構成することができる。本明細書で説明される本発明の機能の実行を促進する他の専門部品は、１つ以上のフィールド・プログラマブル・ゲート・アレイ（ＦＰＧＡ）、１つ以上のコントローラ、または他の１つ以上の専用コンピュータチップを含むことができる。
【００３５】
１つ以上の実施の形態において、プロセッサ（または多重プロセッサ）４０３は、媒体供給システムにおいて空気圧バッフルによってカット媒体を選択的に送ることに関連したコンピュータ・プログラム・コードによって指定された情報に関する演算セットを実行する。コンピュータ・プログラム・コードは、指定された機能を実行するプロセッサおよび／またはコンピュータシステムの演算用の、命令セットまたは命令を提供するステートメントセットである。例えば、コードは、プロセッサのネイティブ命令セットへコンパイルされるコンピュータプログラミング言語内に書き込むことができる。コードは、ネイティブ命令セット（例えば、機械語）を用いて直接に書き込むこともできる。演算セットは、バス４０１から情報を取り込むステップおよびバス４０１上に情報を配置するステップを含む。演算セットは、典型的には、情報の２単位以上を比較するステップ、情報の単位位置をシフト操作するステップ、ならびに加算もしくは乗算または論理和（ＯＲ）、排他的論理和（ＸＯＲ）、および論理積（ＡＮＤ）のような論理演算などによって情報の２単位以上を組み合わせるステップも含む。プロセッサによって実行できる演算セットの各演算は、１つ以上のディジットから成る演算コードなどの、命令と呼ばれる情報によってプロセッサに対して表される。一連の演算コードなどの、プロセッサ４０３が実行する一連の演算は、コンピュータシステム命令または単にコンピュータ命令とも呼ばれる、プロセッサ命令を構成する。プロセッサは、とりわけ、機械部品、電気部品、磁気部品、光学部品、化学部品または量子部品として、単独でまたは組み合わせて実装することができる。
【００３６】
プロセッサ４０３および付随の部品は、バス４０１経由でメモリ４０５への接続性を有する。メモリ４０５は、動的メモリ（揮発性メモリ）（例えば、ＲＡＭ（ｒａｎｄｏｍ  ａｃｃｅｓｓ  ｍｅｍｏｒｙ＝ランダム・アクセス・メモリ）、磁気ディスク、書き込み可能光ディスクなど）および静的メモリ（不揮発性メモリ）（例えば、ＲＯＭ（ｒｅａｄ−ｏｎｌｙ  ｍｅｍｏｒｙ＝リード・オンリ・メモリ＝読み出し専用メモリ）、ＣＤ−ＲＯＭ（ｃｏｍｐａｃｔ  ｄｉｓｃ−ｒｅａｄ  ｏｎｌｙ  ｍｅｍｏｒｙ＝シーディーロム）など）のうちの１つ以上を含み、実行されると本明細書で説明された、媒体供給システムにおいて空気圧バッフルによってカット媒体を選択的に送る本発明のステップを実行する、実行可能な命令を格納する。メモリ４０５は、本発明のステップの実行と関連した、または同実行によって発生したデータも格納する。
【００３７】
１つ以上の実施の形態において、ランダム・アクセス・メモリ（ＲＡＭ）または他の任意の動的記憶デバイスなどの、メモリ４０５は、媒体供給システムにおいて空気圧バッフルによってカット媒体を選択的に送るプロセッサ命令を含む情報を格納する。動的メモリは、内部に格納される情報をシステム１００によって変更されることを可能にする。ＲＡＭは、メモリアドレスと呼ばれる記憶場所において格納される情報の１単位を、隣接アドレスにおける情報とは独立して格納され検索されることを可能にする。メモリ４０５は、プロセッサ４０３によって、プロセッサ命令の実行中に一時的な値を格納するためにも用いられる。メモリ４０５は、システム１００によって変更されない、命令を含む静的情報を格納するための、バス４０１に結合されたリード・オンリ・メモリ（ＲＯＭ）または他の任意の静的記憶デバイスとすることもできる。メモリには、電力が失われたとき、内部に格納された情報を失う揮発性記憶で構成されるものもある。メモリ４０５は、システム１００がオフされるときまたはそうでない場合電力を失うとき、この場合であっても存続する、命令を含む情報を格納するための、磁気ディスク、光ディスクまたはフラッシュカードなどの不揮発性（持続性）記憶デバイスとすることもできる。
【００３８】
本明細書で使用される用語「コンピュータ読み取り可能な媒体」は、プロセッサ４０３へ情報を提供することに関与する、実行用命令を含む任意の媒体を指す。このような媒体は、コンピュータ読み取り可能な記憶媒体（例えば、不揮発性媒体、揮発性媒体）、および伝送媒体を含むがこれらに限定されない多くの形態をとることができる。不揮発性媒体は、例えば、光ディスクまたは磁気ディスクを含む。揮発性媒体は、例えば、動的メモリを含む。伝送媒体は、例えば、ツイスト・ペア・ケーブル、同軸ケーブル、銅線、ファイバ光ケーブル、ならびに電波、光波および赤外線波を含む音波および電磁波などの、配線またはケーブルなしに空間の中を進む搬送波を含む。信号は、振幅、周波数、位相、偏波または伝送媒体を介して伝送される他の物理的特性における人工の過渡変動を含む。コンピュータ読み取り可能な媒体の周知の形態は、例えば、フロッピディスク、フレキシブルディスク、ハードディスク、磁気テープ、他の任意の磁気媒体、ＣＤ−ＲＯＭ、ＣＤＲＷ（ｃｏｍｐａｃｔ  ｄｉｓｃ  ｒｅｗｒｉｔａｂｌｅ＝再書き込み可能ＣＤ）、ＤＶＤ（ｄｉｇｉｔａｌ  ｖｅｒｓａｔｉｌｅ  ｄｉｓｃ）、他の任意の光媒体、パンチカード、紙テープ、光学式マークシート、穿孔パターンもしくは他の光学的認識可能な印を有する他の任意の物理媒体、ＲＡＭ、ＰＲＯＭ（ｐｒｏｇｒａｍｍａｂｌｅ  ＲＯＭ＝プログラム可能ＲＯＭ）、ＥＰＲＯＭ（ｅｒａｓａｂｌｅ  ＰＲＯＭ＝消去可能ＰＲＯＭ）、ＦＬＡＳＨ−ＥＰＲＯＭ（フラッシュＥＰＲＯＭ）、ＥＥＰＲＯＭ（ｅｌｅｃｔｒｉｃａｌｌｙ  ｅｒａｓａｂｌｅ  ＰＲＯＭ＝電気的消去可能ＰＲＯＭ）、フラッシュメモリ、他の任意のメモリチップもしくはメモリカートリッジ、搬送波、またはコンピュータ読み取り可能な他の任意の媒体を含む。コンピュータ読み取り可能な記憶媒体という用語は、本明細書において、伝送媒体を除く任意のコンピュータ読み取り可能な媒体を指すのに用いられる。
【図１】
2014005151.tif 000003
【図２】
2014005151.tif 000004
【図３】
2014005151.tif 000005
【図４】
2014005151.tif 000006